(57)【特許請求の範囲】
【請求項１】
地盤に掘削孔を形成する掘削孔形成工程と、
前記掘削孔に仕切り壁と透水性を有するフィルターとを配置して当該掘削孔内を区画することで、被処理水の濾過を行う濾過室と当該濾過室に水平方向にて前記フィルターを介して隣接するとともに被処理水が溜められる水槽室とを当該掘削孔内に形成する水平濾過領域形成工程と、
前記濾過室内に、自己保形性を有するとともに透水性を有する筒状体として形成されている集水材を配設する集水材配設工程と、
前記集水材を覆うように前記濾過室内に砂を充填することで砂層を形成する砂層形成工程と、
を備え、
前記砂層を通過させることで被処理水の濾過を行う砂濾過沈殿池を構築することを特徴とする砂濾過沈殿池の構築方法。
【請求項２】
前記集水材配設工程において、少なくとも緯糸の一部に曲げ反発性を有する糸が使用されて自己保形性を有する筒状織布で形成された前記筒状体を前記集水材として配設することを特徴とする請求項１に記載の砂濾過沈殿池の構築方法。
【請求項３】
地盤に形成された掘削孔と、
前記掘削孔内に配置される仕切り壁及び透水性を有するフィルターと、
前記仕切り壁及び前記フィルターで区画されることで前記掘削孔内に形成され、被処理水の濾過を行う濾過室および当該濾過室に水平方向にて前記フィルターを介して隣接するとともに被処理水が溜められる水槽室と、
前記濾過室内に配置され、自己保形性を有するとともに透水性を有する筒状体として形成される集水材と、
前記集水材を覆うように前記濾過室内に砂が充填されて形成される砂層と、
を備え、
前記砂層を通過させることで被処理水の濾過を行うことを特徴とする砂濾過沈殿池。
【請求項４】
前記筒状体は、少なくとも緯糸の一部に曲げ反発性を有する糸が使用されて自己保形性を有する筒状織布で形成されていることを特徴とする請求項３に記載の砂濾過沈殿池。
【請求項５】
地盤に掘削孔を形成する掘削孔形成工程と、
前記掘削孔に仕切り壁と透水性を有するフィルターとを配置して当該掘削孔内を区画することで、被処理水の濾過を行う濾過室と当該濾過室に水平方向にて前記フィルターを介して隣接するとともに被処理水が溜められる水槽室とを当該掘削孔内に形成する水平濾過領域形成工程と、
前記濾過室内に、自己保形性を有するとともに透水性を有する筒状体として形成されている集水材を配設する集水材配設工程と、
前記集水材を覆うように前記濾過室内に砂を充填することで砂層を形成する砂層形成工程と、
を経ることで構築され、
前記砂層を通過させることで被処理水の濾過を行うことを特徴とする砂濾過沈殿池。
【発明の詳細な説明】
【技術分野】
【０００１】
本発明は、地盤に構築されて砂層を通過させることで被処理水の濾過を行う砂濾過沈殿池、およびその構築方法に関する。
【背景技術】
【０００２】
トンネルや杭孔の掘削工事や河川や湖沼の泥土の浚渫工事等の現場では土砂等を多量に含む廃水が発生するが、従来では、このような廃水はタンクローリー等で処理場まで運搬していることが多い。しかし、発生した廃水をそのまま運搬すると、廃水の量が多いためにその運搬に多大な費用と手間がかかる。そのため、運搬前に廃水を工事現場で濾過して土砂等を分離し、廃水の量を減らしておくことが好ましく、工事現場等において使用できる比較的小型の濾過装置が望まれている。一般的な濾過装置として、例えば、密閉状のタンクとこのタンク内に充填された砂層とを有し、タンクの上方から導入された被処理水を砂層で濾過して、濾過された水をタンクの下方から排出するように構成された濾過装置が知られている（特許文献１参照）。
【０００３】
【特許文献１】特開平５−１５４３０９号公報
【発明の開示】
【発明が解決しようとする課題】
【０００４】
しかし、前記特許文献１に記載の濾過装置では、密閉状のタンク内に砂層等が配設された構成となっているため、この濾過装置を現場で使用するには、事前に組み立てられた比較的大型の濾過装置を運搬する必要が生じ、運搬作業に困難を伴うという問題がある。そして、砂層はタンク内に充填されておりその砂層の上側に被処理水導入口が設けられている構造であるため、装置全体の高さが高くなってしまい、作業性の低下を招いてしまう虞がある。また、砂層の上方から被処理水を導入するものであるため、砂層の表面にヘドロ等の堆積物が堆積し易く、砂層の濾過機能が低下し易いという問題がある。また、現場で簡単に組み立てることができるようにする観点からは、装置の小型化を図ることも考えることができる。しかし、廃水量が多くなると小型の装置では処理能力に限界があり、単に現場での組立性向上の観点から構築された砂濾過装置では、大量の廃水が発生するような大規模の現場では処理の遅延を招いてしまうことが考えられる。
【０００５】
本発明の目的は、構成する部材の運搬作業が容易で現場にて簡易に構築できるとともに作業性の低下を招いてしまうことも抑制でき、且つ、砂層の濾過機能が低下してしまうことを抑制できるとともに大量の廃水が発生するような現場でも処理の遅延を抑制することができる砂濾過による廃水の処理を実現することである。
【課題を解決するための手段及び発明の効果】
【０００６】
上記目的を達成するための本発明に係る砂濾過沈殿池の構築方法は、地盤に掘削孔を形成する掘削孔形成工程と、前記掘削孔に仕切り壁と透水性を有するフィルターとを配置して当該掘削孔内を区画することで、被処理水の濾過を行う濾過室と当該濾過室に水平方向にて前記フィルターを介して隣接するとともに被処理水が溜められる水槽室とを当該掘削孔内に形成する水平濾過領域形成工程と、前記濾過室内に、自己保形性を有するとともに透水性を有する筒状体として形成されている集水材を配設する集水材配設工程と、前記集水材を覆うように前記濾過室内に砂を充填することで砂層を形成する砂層形成工程と、を備え、前記砂層を通過させることで被処理水の濾過を行う砂濾過沈殿池を構築することを特徴とする。
【０００７】
また、上記目的を達成するための本発明に係る第１の観点の砂濾過沈殿池は、地盤に形成された掘削孔と、前記掘削孔内に配置される仕切り壁及び透水性を有するフィルターと、前記仕切り壁及び前記フィルターで区画されることで前記掘削孔内に形成され、被処理水の濾過を行う濾過室および当該濾過室に水平方向にて前記フィルターを介して隣接するとともに被処理水が溜められる水槽室と、前記濾過室内に配置され、自己保形性を有するとともに透水性を有する筒状体として形成される集水材と、前記集水材を覆うように前記濾過室内に砂が充填されて形成される砂層と、を備え、前記砂層を通過させることで被処理水の濾過を行うことを特徴とする。
【０００８】
また、上記目的を達成するための本発明に係る第２の観点の砂濾過沈殿池は、地盤に掘削孔を形成する掘削孔形成工程と、前記掘削孔に仕切り壁と透水性を有するフィルターとを配置して当該掘削孔内を区画することで、被処理水の濾過を行う濾過室と当該濾過室に水平方向にて前記フィルターを介して隣接するとともに被処理水が溜められる水槽室とを当該掘削孔内に形成する水平濾過領域形成工程と、前記濾過室内に、自己保形性を有するとともに透水性を有する筒状体として形成されている集水材を配設する集水材配設工程と、前記集水材を覆うように前記濾過室内に砂を充填することで砂層を形成する砂層形成工程と、を経ることで構築され、前記砂層を通過させることで被処理水の濾過を行うことを特徴とする。
【０００９】
本発明の砂濾過沈殿池の構築方法、および砂濾過沈殿池によると、仕切り壁、フィルター、及び集水材を現場に運搬し、現場にて掘削孔を形成して、その中に仕切り材、フィルター、及び集水材を配設するだけでよく、運搬作業が容易で現場にて簡易に構築することができる砂濾過沈殿池を得ることができる。また、地盤に掘削された掘削孔内に濾過室及び水槽室が形成されるため、砂濾過沈殿池の高さが地盤の高さを超えることもないため廃水投入作業が容易であり、作業性を向上させることができる。また、現場の地盤に形成する掘削孔の大きさを任意に設定することで、砂濾過沈殿池の大きさを任意に設定することができる。このため、現場にて発生する廃水量に応じて砂濾過沈殿池の処理能力を適宜設定することができ、大量の廃水が発生するような場合でも、処理の遅延を抑制することができる。
【００１０】
また、本発明の砂濾過沈殿池、および本発明の構築方法で構築された砂濾過沈殿池においては、濾過対象である被処理水（廃水）は、水槽室に投入されてこれに溜められると、透水性を有するフィルターを通過し、水槽室に隣接配置された濾過室へと流れ込むことになる。また、このとき、水槽室に溜められている被処理水に含まれる土砂は、水平方向に移動しながら重力によって水槽室内で沈降していくことになる。そして、濾過室へと流れ込んだ被処理水は砂層を通過することで濾過されることになり、さらに、濾過された水は砂層で覆われた集水材へと流れ込み、集水材を介して仕切り壁を超えて外部へと排出される。このように、この砂濾過沈殿池では、砂層に対して被処理水が水平方向から流れ込んで濾過されることになるため、従来技術のように砂層の上方から被処理水を導入する場合よりも、砂層の表面にヘドロ等の堆積物が堆積することで砂層の砂濾過機能が低下してしまうようなことを抑制できる。
【００１１】
したがって、本発明の構成によると、運搬作業が容易で現場にて簡易に構築できるとともに作業性の低下を招いてしまうことも抑制でき、且つ、砂層の濾過機能が低下してしまうことを抑制できるとともに大量の廃水が発生するような現場でも処理の遅延を抑制可能な砂濾過による廃水の処理を実現することができる。
【００１２】
また、本発明に係る砂濾過沈殿池の構築方法は、前記集水材配設工程において、少なくとも緯糸の一部に曲げ反発性を有する糸が使用されて自己保形性を有する筒状織布で形成された前記筒状体を前記集水材として配設することが望ましい。
【００１３】
また、本発明に係る砂濾過沈殿池は、前記筒状体は、少なくとも緯糸の一部に曲げ反発性を有する糸が使用されて自己保形性を有する筒状織布で形成されていることが望ましい。
【００１４】
この構成によると、集水材は、自己保形性を有する筒状織布として形成されており透水性を有するため、集水材に透水性を持たせるためにわざわざ複数の孔を形成する必要がない。そして、複数の孔を有する合成樹脂や金属製の集水材と比較して軽量であり、運搬時や砂濾過沈殿池の構築時の取り扱いが容易である。また、濾過室内で曲げた状態で配置することも可能である。さらに、従来の砂濾過装置では一般的に設けられている礫層等、通水性の高い層が不要となり、現場における分解、構築がさらに容易になる。さらに、集水材の織り組織を適宜調整することにより、被処理水の種類等に応じて集水材の透水性を変更することが可能である。
【発明を実施するための最良の形態】
【００１５】
以下、本発明の実施の形態について図面を参照しながら説明する。本発明の実施形態に係る砂濾過沈殿池は、砂層を通過させることで被処理水の濾過を行うものとして広く用いることができるものである。例えば、トンネルや杭孔の掘削工事や河川や湖沼の泥土の浚渫工事等で発生する廃水を濾過する場合に、本実施形態に係る砂濾過沈殿池を使用することができる。
【００１６】
図１は本発明の実施形態に係る砂濾過沈殿池１を示す断面図であり、図２は砂濾過沈殿池１の平面図である。なお、図１は、図２のI−I線矢視位置に対応する断面図である。図１および図２に示すように、砂濾過沈殿池１は、掘削孔１１、仕切り壁１２、フィルター１３、濾過室１５、水槽室１６、砂層１７、集水材１８などを備えて構成されている。
【００１７】
掘削孔１１は、図１および図２に示すように、廃水が発生する現場若しくはその現場付近の地盤１０にて掘削が行われることで形成される。この掘削孔１１は、例えば、その内部に直方体の空間を区画するように設けられるが、現場での状況等に応じて、種々の形状に設定することができる。
【００１８】
仕切り壁１２は、図２によく示すように、例えば複数のブロック１２ａが掘削孔１１内で鉛直方向に立設されるとともに平面的に並ぶように配置されることで形成される。この仕切り壁１２は、掘削孔１１の長辺側の両側面間に架け渡される壁として配置され、掘削孔１１内を区画するように配置されている。
【００１９】
フィルター１３は、掘削孔１１内で鉛直方向に立設されるとともに、図２に例示するように仕切り壁１２と平行に配置されている。このフィルター１３は、それぞれ透水性を有するメッシュ状シートとエキスパンドメタルとで構成されている。例えば、メッシュ状シートは縦２．５ｍｍ×横２．５ｍｍの目開きをもつシートとして形成されており、エキスパンドメタルは３６ｍｍ×１０１．６ｍｍの対角線長さのひし形状の目開きをもつ網として形成されている。
【００２０】
濾過室１５および水槽室１６は、仕切り壁１２およびフィルター１３で区画されることで掘削孔１１内に形成されており、水平方向に並んで配置されている。濾過室１５は仕切り壁１２とフィルター１３との間に配置され、水槽室１６は濾過室１５に対して水平方向にてフィルター１３を介して隣接して配置されている。そして、水槽室１６は、図１に示すように、被処理水である廃水が上方から投入されて溜められる区画として形成されている。また、濾過室１５は、水槽室１６に溜められた被処理水２０を砂層１７を通過させることで濾過を行う区画として形成されている。
【００２１】
集水材１８は、図１および図２に点線で示すように、濾過室１５内に配置され、自己保形性を有するとともに透水性を有する筒状体として形成されている。集水材１８は、濾過室１５内では、例えば、鉛直方向に向かってスパイラル状に組み立てられて配置される。
【００２２】
集水材１８は、図３に示すような、経糸２２と緯糸２３とを用いて環状に織成された筒状織布２１からなり、透水性を有する。ここで、少なくとも緯糸２３の一部に曲げ反発性を有する糸が使用されており、集水材１８を構成する筒状織布２１は上述のように自己保形性を有する。そして、集水材１８の織り組織を適宜調整することにより、廃水の種類等に応じて集水材１８の透水性を変更することが可能である。このような集水材１８の一例を挙げると、太さ６６００ｄｔｅｘのポリエステル繊維からなる経糸２２と、太さφ１．６ｍｍのＳＵＳ製ワイヤーからなり、密度４０Ｐ／１０ｃｍの緯糸２３とで環状に織成された、口径５１ｍｍの筒状織布２１からなるものを使用できる。そして、集水材１８の一端は閉じられた状態になっており、集水材１８の他端は、図１および図２に示すように、仕切り壁１２に設けられた図示しない孔等に嵌め込まれて濾過室１５の外部へと通じるパイプ１９に接続されている。
【００２３】
砂層１７は、図１および図２に示すように、集水材１８を覆うように濾過室１５内に砂が充填されて形成されている。尚、本実施形態の砂濾過沈殿池１は、砂層１７により廃水に含まれる砂等の浮遊物質を除去するものであり、廃水中に溶け込んでいる有害物質等を除去することを目的とするものではない。そのため、砂層１７は特定の種類のものに限定されない。
【００２４】
上述した構成を備える砂濾過沈殿池１では、図１に示すように、水槽室１６に被処理水２０が溜められると、被処理水２０中に含まれる土砂が重力によって沈降し、水槽室１６の底に堆積土砂の層が形成されつつ、図中矢印Ａで示すように、透水性を有するフィルター１３を通過して被処理水２０が濾過室１５へと水平方向に流れ込み、砂層１７へと浸透していく。このとき、砂層１７によって被処理水２０の濾過が行われることになる。砂層１７にて濾過された水は、集水材１８へと流れ込み、図中矢印Ｂで示すように、パイプ１９を通じて濾過室１５の外部へと排出されることになる。
【００２５】
なお、この砂濾過沈殿池１では、水槽室１６に溜められた被処理水２０に含まれる土砂は、重力により徐々に沈降して堆積土砂を形成するため、フィルター１３におけるフィルター面１３ａ（図２参照）の多くの部分を土砂が覆うまでには相当な長時間を要し、砂濾過沈殿池１での処理能力がすぐに低下することはない。したがって、赤土などの非常に細かい粒子を含む被処理水を濾過する場合にこの砂濾過沈殿池１が特に適していることになる。また、砂濾過沈殿池１では、フィルター面１３ａが鉛直方向に沿って設けられているため、フィルター面１３ａに土砂が堆積しても容易に叩き落すことが可能であり、良好なメンテナンス性を得ることができる。また、砂濾過沈殿池１では、被処理水１８の流れが水平方向になっているため、集水材１８の目開きを大きくして砂層１７の厚みを増やしても主として水平方向に厚くなるだけであり、砂濾過沈殿池１の深さが深くなるのを抑えることができる。このため、現場の条件に合わせて、集水材１８の目開きの程度と砂層１７の厚さとに関する設計範囲の自由度を高めることができる。
【００２６】
次に、上述した砂濾過沈殿池１の構築方法について説明する。砂濾過沈殿池１は、掘削孔形成工程と、水平濾過領域形成工程と、集水材配設工程と、を経ることで構築される。すなわち、砂濾過沈殿池１の構築方法は、掘削孔形成工程と、水平濾過領域形成工程と、集水材配設工程と、を備えて構成されている。
【００２７】
砂濾過沈殿池１を構築する際は、図４の断面図に示すように、まず、現場にて地盤１０を掘削して掘削孔１１を形成する掘削孔形成工程が行われる。次いで、図５及び図５のVI線矢視図である図６に示すように、掘削孔１１内に、掘削孔１１の内側壁に隣接する位置にそれぞれ複数のブロック１４を積み上げる。そして、図５及び図５のVII線矢視図である図７に示すように、ブロック１４と離間させて複数のブロック１２ａを平面的に積み上げるように配置して仕切り壁１２を形成する。続いて、図８及び図８のIX線矢視図である図９に示すように、立設されたブロック１４の間に形成されている開口を塞ぐような状態となるように鉛直方向にメッシュ状シートとエキスパンドメタルとを配置してブロック１４の片面側に対して適宜の手段で立設・固定し、フィルター１３を形成する。このように、掘削孔１１内に仕切り壁１２とフィルター１３とを配置して掘削孔１１内を区画することで、フィルター１３を介して水平に配置された濾過室１５と水槽室１６とが掘削穴孔１１内に形成される水平濾過領域形成工程が行われる。
【００２８】
濾過室１５が形成されると、この濾過室１５内に前述した構成を備える筒状織物２１で形成された集水材１８を配設する集水材配設工程が行われる。集水材配設工程では、図１０に示すように、集水材１８をスパイラル状に巻いて鉛直方向に積み上げたような形状で配設する。本実施形態では、集水材１８を３つ配設している状態を図示しているが、掘削孔１１の容積に応じて適宜集水材１８の配設数を設定することになる。なお、パイプ１９は仕切り壁１２に設けた孔に貫通させて嵌めこんだ状態にしておき、このパイプ１９と集水材１８の端部とが接続される。
【００２９】
濾過室１５内に集水材１８が配設されると、次いで、図１１に示すように、この集水材１８を覆うように濾過室１５内に砂を充填することで砂層１７を形成する砂層形成工程が行われる。これにより、砂濾過沈殿池１が構築されることになる。砂濾過沈殿池１が構築されると、前述のように、水槽室１６に被処理水を投入して濾過室１５で濾過を行うことができる。
【００３０】
また、図１２は、変形例に係る砂濾過沈殿池２を示す断面図である。なお、砂濾過沈殿池１と同様の要素については同一の符号を付して説明を割愛する。この砂濾過沈殿池２は、砂濾過沈殿池１に対してさらに予備水槽室２４を備えて構成されている点が異なっている。予備水槽室２４は、掘削孔１１に対して堤部２７を介して並んで配置された掘削孔として形成される。堤部２７には、パイプ等が埋め込まれることで、水槽室１６と予備水槽室２４とを連通させる連通路２５が形成される。
【００３１】
この砂濾過沈殿池２では、被処理水２０は、まず予備水槽室２４に投入される。予備水槽室２４に被処理水２０が溜められると、被処理水２０中に含まれる土砂が重力によって沈降し、予備水槽室２４の底に堆積土砂２６の層が形成されつつ、図中矢印Ｃで示すように、被処理水２０が連通路２５を通過して水槽室１６へと流れ込むことになる。水槽室１６に流れ込んだ後は、砂濾過沈殿池１と同様に、被処理水２０の濾過が行われていくことになる。この砂濾過沈殿池２によると、予備水槽室２４を水槽室１６の前処理工程として設けることで、多段階的に被処理水の処理を行うことができる。
【００３２】
次に、上述した砂濾過沈殿池２を用いた被処理水の濾過実験の結果について説明する。砂濾過沈殿池２においては、深さがいずれも約１．２ｍ（満水時の水深は約１ｍ）で容積が約１０ｍ３の水槽室１６と約２５ｍ３の予備水槽室２４とを設け、集水材１８としては口径３０ｍｍで長さが８０ｍのものを用いた。また、濾過室１５の容積は３ｍ３とし、排水能力は毎分約４０リットルで、満水状態の場合で約４時間で濾過水が排水されるように設計を行った。
【００３３】
上記の砂濾過沈殿池２にて被処理水（泥水）の濾過実験を行ったところ、予備水槽室２４及び水槽室１６の水位により異なるものの、満水時で毎分６０リットルの排水能力が発揮され、水位が５０ｃｍのときで毎分３０リットルの排水能力が発揮されることが確認できた。そして、浮遊物質量を示す単位である濁度単位ＳＳ（ｍｇ／リットル）で評価したところ、濾過前の泥水の濁度が７６０ｍｇ／リットルに対して、濾過処理開始から１時間経過後の処理水（濾過後の水）の濁度が１３７ｍｇ／リットル、２時間経過後の処理水の濁度が４５ｍｇ／リットルで、それ以降の処理水の濁度は４５ｍｇ／リットル未満で推移し、目標とした２００ｍｇ／リットル以下を十分に達成できることが確認された。なお、濾過開始後すぐは、砂に含まれる細かいシルト分等が流出することによって濁度が高めの水が排水されるものの、砂が洗浄された後は安定して濾過が行われることから濁度の低い水の排出を確実に行えることが確認できた。
【００３４】
以上説明したように、本実施形態の砂濾過沈殿池の構築方法、および砂濾過沈殿池（１、２）によると、運搬し易い仕切り壁１２、フィルター１３、集水材１８などの部材を現場に運搬し、現場にて掘削孔１１を形成して、その中に仕切り材１２、フィルター１３、及び集水材１８を配設するだけでよく、運搬作業が容易で現場にて簡易に構築することができる砂濾過沈殿池を得ることができる。また、地盤１０に掘削された掘削孔１１内に濾過室１５及び水槽室１６が形成されるため、砂濾過沈殿池（１、２）の高さが地盤１０の高さを超えることもないため廃水投入作業が容易であり、作業性を向上させることができる。また、現場の地盤１０に形成する掘削孔１１の大きさを任意に設定することで、砂濾過沈殿池（１、２）の大きさを任意に設定することができる。このため、現場にて発生する廃水量に応じて砂濾過沈殿池（１、２）の処理能力を適宜設定することができ、大量の廃水が発生するような場合でも、処理の遅延を抑制することができる大規模の砂濾過沈殿池を容易に構築することができる。
【００３５】
また、本実施形態の砂濾過沈殿池（１、２）、および本実施形態の構築方法で構築された砂濾過沈殿池（１、２）においては、濾過対象である被処理水（廃水）は、水槽室１６に投入されてこれに溜められると、透水性を有するフィルター１３を通過し、水槽室１６に隣接配置された濾過室１５へと流れ込むことになる。また、このとき、水槽室１６に溜められている被処理水に含まれる土砂は、水平方向に移動しながら重力によって水槽室１６内で沈降していくことになる。そして、濾過室１５へと流れ込んだ被処理水は砂層１７を通過することで濾過されることになり、さらに、濾過された水は砂層１７で覆われた集水材１８へと流れ込み、集水材１８を介して仕切り壁１２を超えて外部へと排出される。このように、この砂濾過沈殿池（１、２）では、砂層１７に対して被処理水が水平方向から流れ込んで濾過されることになるため、従来技術のように砂層の上方から被処理水を導入する場合よりも、砂層の表面にヘドロ等の堆積物が堆積することで砂層の砂濾過機能が低下してしまうようなことを抑制できる。
【００３６】
したがって、本実施形態の砂濾過沈殿池の構築方法、および砂濾過沈殿池（１、２）によると、運搬作業が容易で現場にて簡易に構築できるとともに作業性の低下を招いてしまうことも抑制でき、且つ、砂層の濾過機能が低下してしまうことを抑制できるとともに大量の廃水が発生するような現場でも処理の遅延を抑制可能な砂濾過による廃水の処理を実現することができる。
【００３７】
また、本実施形態の砂濾過沈殿池の構築方法、および砂濾過沈殿池（１、２）によると、集水材１８は、自己保形性を有する筒状織布２１として形成されており透水性を有するため、集水材１８に透水性を持たせるためにわざわざ複数の孔を形成する必要がない。そして、複数の孔を有する合成樹脂や金属製の集水材と比較して軽量であり、運搬時や砂濾過沈殿池の構築時の取り扱いが容易である。また、濾過室内で曲げた状態で配置することも可能である。さらに、従来の砂濾過装置では一般的に設けられている礫層等、通水性の高い層が不要となり、使用する部材の種類も少なくて済み、現場における分解、構築がさらに容易になる。さらに、集水材の織り組織を適宜調整することにより、被処理水の種類等に応じて集水材の透水性を変更することが可能である。
【００３８】
また、砂濾過沈殿池（１、２）では、フィルター１３が鉛直方向に立設して設けられているため、フィルター面１３ａに目詰まりが生じにくく、長時間の連続濾過処理が可能である。そして、フィルター１３が鉛直方向に立設されているため、土砂が堆積しても叩き落すことが可能で、メンテナンスが容易になる。また、被処理水が水平方向に流れるものであるため、集水材１８の目開きを大きくして砂層１７の厚さを増やしても水平方向に広がるだけであって砂濾過沈殿池（１、２）の深さが深くなってしまうことを抑制できるので、集水材１８の目開きと砂層１７の厚さの設計範囲が広がることになる。また、現場で構築するものであるので、現場の状況や必要とされる濾過性能に応じて、砂濾過沈殿池２のように、前処理のための予備水槽室２４などを適宜形成することができる。
【００３９】
以上、本発明の実施形態について説明したが、本発明は前述の実施の形態に限られるものではなく、特許請求の範囲に記載した限りにおいて様々に変更して実施することが可能なものである。例えば、次のように変更して実施してもよい。
【００４０】
（１）フィルターが、水平方向において波型形状等の種々の凹凸が設けられた断面形状となるように形成されている砂濾過沈殿池であってもよい。水平方向において凹凸が設けられた断面形状のフィルターを用いることで、水槽室から濾過室へと被処理水が通過する際における被処理水の通過面積を多く確保することができ、濾過効率を向上させることができる。
【００４１】
（２）水槽室内に固形物除去用の粗いメッシュのフィルターを立設するように配設した砂濾過沈殿池であってもよい。この場合、水槽室内がその粗いメッシュのフィルターによって、濾過室側の第１の水槽室とその粗いフィルターを介して反対側の第２の水槽室とに区画されるが、第２の水槽室の上方から被処理水が投入されることになる。
【図面の簡単な説明】
【００４２】
【図１】本発明の実施形態に係る砂濾過沈殿池の断面図である。
【図２】図１に示す砂濾過沈殿池の平面図である。
【図３】図１に示す集水材を構成する筒状織布の一部切欠斜視図である。
【図４】図１に示す砂濾過沈殿池の構築方法を説明する断面図である。
【図５】図１に示す砂濾過沈殿池の構築方法を説明する断面図である。
【図６】図５のVI線矢視図である。
【図７】図５のVII線矢視図である。
【図８】図１に示す砂濾過沈殿池の構築方法を説明する断面図である。
【図９】図８のIX線矢視図である。
【図１０】図１に示す砂濾過沈殿池の構築方法を説明する断面図である。
【図１１】図１に示す砂濾過沈殿池の構築方法を説明する断面図である。
【図１２】変形例に係る砂濾過沈殿池の断面図である。
【符号の説明】
【００４３】
１    砂濾過沈殿池
１０  地盤
１１  掘削孔
１２  仕切り材
１３  フィルター
１５  濾過室
１６  水槽室
１７  砂層
１８  集水材
２０  被処理水
【図１】
0004627716.tif 000002
【図２】
0004627716.tif 000003
【図３】
0004627716.tif 000004
【図４】
0004627716.tif 000005
【図５】
0004627716.tif 000006
【図６】
0004627716.tif 000007
【図７】
0004627716.tif 000008
【図８】
0004627716.tif 000009
【図９】
0004627716.tif 000010
【図１０】
0004627716.tif 000011
【図１１】
0004627716.tif 000012
【図１２】
0004627716.tif 000013